(57)【特許請求の範囲】
【請求項１】
ボックス本体の背面板内部に、断面コ字状に折り曲げ成形した複数の補強板をねじ止めするとともに、これらの補強板間に断面コ字状に折り曲げ成形され両端の折り曲げ部が切り欠かれた取付板を取付けることにより、補強板の折り曲げ部と取付板の折り曲げ部とがともに背面板に接した補強構造を形成し、ボックス本体を型枠パネルに固定する取付スタッドボルトを支持させたことを特徴とする埋め込み型ボックス。
【請求項２】
補強板を着脱可能としたことを特徴とする請求項１に記載の埋め込み型ボックス。
【請求項３】
取付板の取り付け位置を変更可能にしたことを特徴とする請求項１に記載の埋め込み型ボックス。
【発明の詳細な説明】
【０００１】
【発明の属する技術分野】
本発明は、コンクリート構造体に埋め込んで取り付ける分電盤や配電盤等の電気機器を収納する埋め込み型ボックスに関するものである。
【０００２】
【従来の技術】
分電盤や配電盤等の電気機器収納用ボックスをコンクリート構造体に埋め込んで取り付ける場合には、電線管をボックス本体に配管、接続したうえ、ボックス本体を取付スタッドボルト等で型枠パネルに固定し、対向する型枠パネルとの間にコンクリートを注入している。ここで、ボックス本体の型枠パネルへの固定は、図５に示すようにボックス本体１の背面板と型枠パネルＰを貫通した取付スタッドボルト５にボックス本体１の背面の外側と型枠パネルＰの外側からナット６、６を取り付け、このナット６を締め付けることにより行っている。コンクリートを注入し、コンクリートが固まった後型枠パネルＰを外そうとすると、ボックス本体１の背面に出ている取付スタッドボルト５の先端がコンクリートに埋まり取付スタッドボルト５が外れなくなることがあった。また、コンクリートを型枠に注入する時の圧力又は衝撃でボックス本体１が変形することがあり、これを防ぐため設置現場において補強板を内部に組み込まなければならない場合があった。
【０００３】
【発明が解決しようとする課題】
本発明は、上記の問題点を解決するためになされたもので、コンクリートが固まった後に取付スタッドボルトが外れなくなることがなく、設置現場において補強板を組み込む必要のない埋め込み型ボックスを提供する。
【０００４】
【課題を解決するための手段】
上記の課題を解決するためになされた本発明は、ボックス本体の背面板内部に、断面コ字状に折り曲げ成形した複数の補強板をねじ止めするとともに、これらの補強板間に断面コ字状に折り曲げ成形され両端の折り曲げ部が切り欠かれた取付板を取付けることにより、補強板の折り曲げ部と取付板の折り曲げ部とがともに背面板に接した補強構造を形成し、ボックス本体を型枠パネルに固定する取付スタッドボルトを支持させたことを特徴とするものである。なお、補強板を着脱可能としたり、取付板の取り付け位置を変更可能にすることができる。
【０００５】
【発明の実施の形態】
図１と図２は参考例の埋め込み型ボックスを示す図である。
図１において、１は埋め込み型ボックスのボックス本体であって、該ボックス本体１の背面板２の内側には断面コ字形状に折り曲げ成形した縦方向の補強板３、３を両側に設けている。補強板３、３はそれぞれ上端及び下端において背面板２の内側にねじ止めしており、隣接する位置に取付スタッドボルト取付部としてそれぞれスタッドナット４、４を取り付けている。なお、補強板３、３の背面板２へのねじ止めは、背面板２内面に突出させたエンボス部に設けたねじ孔に対して行っており、取り付けねじは背面板２の外側に突出しないようにするのが好ましい。また、スタッドナット４、４は補強板３、３にタップを立てることでも代替できるが強度の面ではスタッドナット４とするのが好ましく、スタッドナット４、４は、はめ込み、溶接、圧入等任意の方法で取り付けることができる。なお、取付スタッドボルト取付部は補強板３、３に切り欠きを設け、取付スタッドボルトに取り付けたナットを嵌め込む等の手段を取ることもできる。
【０００６】
図１に示す埋め込み型ボックスは図２に示すように型枠パネルＰに取り付ける。すなわち型枠パネルＰにボックス本体１のスタッドナット４、４の位置に合わせて貫通孔を設け、貫通孔にスタッドナット４、４に螺合した取付スタッドボルト５、５を通し、型枠パネルＰの外側に出た取付スタッドボルト５、５にナット６、６を取り付けて締め付けている。このようにしてボックス本体１を型枠パネルＰに固定し、対向する型枠パネルＰ’との間にコンクリートを注入すると、取付スタッドボルト５、５の先端は背面板２の外部に突出せず、コンクリートに触れることがないから、コンクリートが固まった後においても取付スタッドボルトが外れなくなることはない。また、ボックス本体１は補強板３により補強されており、コンクリート注入時の圧力によって変形することはない。なお、図示していないが、ボックス本体１に電線管を配管、接続することは従来と同様である。
【０００７】
図３は本発明の実施形態を示すもので、ボックス本体１の背面板２の内側には断面コ字形状に折り曲げ成形した横方向の補強板７、７を上下に設けている。補強板７、７はそれぞれ両端において背面板２の内側にねじ止めしており、その長手方向に取付孔１０を複数並べて設けている。補強板７、７の背面板２へのねじ止めは、前記の実施の形態における補強板３、３と同様に行う。補強板７、７には、スタッドナット９、９を備えた取付板８、８を取り付けるが、取付板８、８は両端部に補強板７、７への固定孔１１、１１を備えている。これにより取付板８、８の取り付け位置及び個数を自由に選択できる。さらに、取付板８、８を断面コ字形状に折り曲げ成形し、図４に示すように両端の折り曲げ部を切り欠けば、補強板７、７に取付板８、８を取り付けた状態での補強板７、７の折り曲げ部と取付板８、８の折り曲げ部がともに背面板２に接することになり、より強い補強構造となる。取付板８、８にはスタッドナット９、９を取り付けており、ボックス本体１を型枠パネルＰに固定する取付スタッドボルト５，５の先端をスタッドナット９、９に螺合して支持させ、型枠パネルＰに固定することができる。
【０００８】
【発明の効果】
以上説明した本発明によれば、コンクリートが固まった後に取付スタッドボルトが外れなくなることがなく、コンクリートの注入時にボックス本体が変形することがないことから設置現場において補強板を組み込む必要がないという利点がある。また、取り付け後補強板を取り外せば、ボックス本体内部の配線スペースが大きく確保でき配線が容易に行えるという利点もある。さらに、長手方向に複数の取付孔を備えた補強板に、取付スタッドボルト取付部を設けた取付板を取り付け位置を変更可能に取り付けたことにより、補強板に取り付ける取付板の位置及び個数を自由に選択できるという利点がある。なお、前記実施の形態において、補強板はいずれもそれぞれ２本を平行に取り付けているが、ボックス本体の大きさに応じて３本以上としても良いことは言うまでもない。
【図面の簡単な説明】
【図１】本発明の実施の形態を示す正面図である。
【図２】本発明の実施の形態の取り付け状態を示す断面図である。
【図３】本発明の別の実施の形態を示す正面図である。
【図４】本発明の別の実施の形態を示す要部の縦断側面図である。
【図５】従来のボックスの取り付け状態を示す断面図である。
【符号の説明】
１  ボックス本体、２  背面板、３  補強板、４  スタッドナット、５  取付スタッドボルト、６  ナット、７  補強板、８  取付板、９  スタッドナット、１０  取付孔、１１  固定穴、Ｐ  型枠パネル、Ｐ’  型枠パネル
【図１】
0003667624.tif 000002
【図２】
0003667624.tif 000003
【図３】
0003667624.tif 000004
【図４】
0003667624.tif 000005
【図５】
0003667624.tif 000006